(57)【要約】【課題】エコバッグとして用いることができ、開口部を容易に広げることができる買い物袋を提供する。【解決手段】本考案の一態様に係る買い物袋１０は、袋本体１２と、該袋本体の開口部１６から延出するように設けられた２つの持ち手１４ａ、１４ｂであって、各持ち手は、前記開口部の２か所の固定部分に固定されている、持ち手とを備え、前記開口部のうちの前記２つの持ち手の間の持ち手間部分１６ｂは伸縮部として構成されていて、前記開口部のうちの前記持ち手間部分以外の部分は、非伸縮部として構成されている。【選択図】図１
0003221373.tif 000002
【実用新案登録請求の範囲】
【請求項１】
袋本体と、
該袋本体の開口部から延出するように設けられた２つの持ち手であって、各持ち手は、前記開口部の２か所の固定部分に固定されている、持ち手と
を備え、
前記開口部のうちの前記２つの持ち手の間の持ち手間部分は伸縮部として構成されていて、
前記開口部のうちの前記持ち手間部分以外の部分は、非伸縮部として構成されている、
買い物袋。
【請求項２】
前記袋本体は、所定のかごに入られたとき、前記開口部を前記所定のかごの外側に折り返すことができるように構成されている、
請求項１に記載の買い物袋。
【請求項３】
前記袋本体には、折り畳んだ前記買い物袋を折り畳んだ状態に維持するための部材が設けられている、
請求項１又は２に記載の買い物袋。
【考案の詳細な説明】
【技術分野】
【０００１】
本考案は、スーパーマーケットなどの店舗においてレジかごに上から被せて用いることができる買い物袋に関する。
【背景技術】
【０００２】
消費者が買った品物を入れるために持参する買い物袋として所謂エコバッグが知られていて、種々の提案がなされている。例えば、特許文献１は、布地等のシート材に帯状体を２列に縫い付けて、その帯状体の両端側を閉じて持ち手とし、そのシート材の周縁部をゴム紐等で絞って袋状とする買い物袋を開示する。特許文献１の記載によれば、この買い物袋は、買い物を済ませてレジする時に、大きく広げてレジかごに上から被せるようにすることができ、そうすることで、中身の品物を移し変える必要が無くなる。
【先行技術文献】
【特許文献】
【０００３】
【特許文献１】特開２００９−１６５７１６号公報
【考案の概要】
【考案が解決しようとする課題】
【０００４】
特許文献１に記載の買い物袋は、レジかごに上から被せるとき、大きく開口部を広げるためにゴム紐をほどいた状態にする必要があり、また、買い物を済ませてレジかごから外すとき、ゴム紐の両端を結ぶ必要がある。このように、特許文献１に記載の買い物袋は、その取扱いに関して改善の余地がある。
【０００５】
本考案は、エコバッグとして用いることができ、開口部を容易に広げることができる買い物袋を提供することを目的とする。
【課題を解決するための手段】
【０００６】
上記目的を達成するために、本考案の一態様は、
袋本体と、
該袋本体の開口部から延出するように設けられた２つの持ち手であって、各持ち手は、前記開口部の２か所の固定部分に固定されている、持ち手と
を備え、
前記開口部のうちの前記２つの持ち手の間の持ち手間部分は伸縮部として構成されていて、
前記開口部のうちの前記持ち手間部分以外の部分は、非伸縮部として構成されている、
買い物袋
を提供する。
【０００７】
好ましくは、前記袋本体は、所定のかごに入られたとき、前記開口部を前記所定のかごの外側に折り返すことができるように構成されている。
【０００８】
前記袋本体には、折り畳んだ前記買い物袋を折り畳んだ状態に維持するための部材が設けられているとよい。
【考案の効果】
【０００９】
本考案の一態様に係る上記買い物袋によれば、エコバッグとして用いることができ、開口部を容易に広げることが可能になる。
【図面の簡単な説明】
【００１０】
【図１】本考案の一実施形態に係る買い物袋の斜視図である。
【図２】図１の買い物袋を折り畳んだ状態を表す図であり、（ａ）は折り畳んだ状態の買い物袋の図であり、（ｂ）は折り畳んだ状態に固定された買い物袋を示す斜視図である。
【図３】図１の買い物袋を所定のレジかごに被せた状態を表す斜視図である。
【考案を実施するための形態】
【００１１】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１２】
本考案の一実施形態に係る買い物袋１０の斜視図を図１に示す。買い物袋１０は、袋本体１２と、２つの持ち手１４ａ、１４ｂとを備える。
【００１３】
袋本体１２は、品物を出し入れする口を有し、その口の区画形成部つまり開口部１６を有する。袋本体１２は、開口部１６を介してその中身を所定量以上に詰めた状態で、所定のかごとしての所定のレジかごの内側にフィットするように形作られている。所定のレジかご１８（図３参照）は、スーパーマーケットなどの店舗において消費者（又は来店者）が購入したい品物又は購入した品物を入れて持ち運ぶことを可能にするものであり、図３に示すように略直方体のかご本体２０を有する。そのため、袋本体１２は、底部２２と、その底部２２の周囲を囲むように延びる側部２４とを有し、それらの間に縁部２６を有する。ここでは縁部２６は縫い合わせ部として構成されているが、他の構成を備えてよく、例えば袋本体１２の生地の接着により構成されてもよい。
【００１４】
持ち手１４ａ、１４ｂは、それぞれ、袋本体１２に固定されている。持ち手１４ａ、１４ｂは、それぞれ、袋本体１２の開口部１６から延出するように設けられている。各持ち手１４ａ、１４ｂは、開口部１６の２か所の固定部分２８ａ、２８ｂに固定されている。一方の持ち手１４ａは開口部１６の２つの部分２８ａ、２８ｂに固定された帯状部材３０ａにより構成されていて、他方の持ち手１４ｂは開口部１６の２つの部分に固定された帯状部材３０ｂにより構成されている。持ち手１４ａに関する２つの部分２８ａ、２８ｂは所定距離離れていて、持ち手１４ｂに関する２つの部分も同所定距離離れている。２つの持ち手１４ａ、１４ｂに関する構成は実質的に同じであるので、以下では、一方の持ち手１４ａに関する構成を説明して、他方の持ち手１４ｂに関する構成の説明を省略する。
【００１５】
開口部１６のうち、持ち手１４ａに関する２つの部分２８ａ、２８ｂ及びそれらの間の部分１６ａは、つまり持ち手保持部は、非伸縮部として構成されている。開口部１６のうち、２つの持ち手１４ａ、１４ｂの間の部分（持ち手間部分）１６ｂは、伸縮部として構成されている。つまり持ち手間部分１６ｂは弾性的に伸び縮み可能に構成されている。持ち手間部分１６ｂは、袋本体１２の周縁部を折り返して形成された領域の内部に、弾性部材であるゴムを設けた構成を有する。なお、持ち手間部分１６ｂは、他の構成を有してもよい。例えば、持ち手間部分１６がゴム布など弾性部材のみから構成される場合、弾性部材は直接的に袋本体１２に設けられ得る。
【００１６】
買い物袋１０は、布生地、合成樹脂製生地などの種々の材料で作製可能であり、例えばポリエステルタフタ生地を用いて作製可能である。買い物袋１０は折り畳むことができる材料で作製されていて、部分的に又は全体的に可撓性材料で作製可能である。
【００１７】
買い物袋１０では、袋本体１２に、折り畳んだ買い物袋１０をその折り畳んだ状態に維持するための部材としての留め紐部３２が設けられている。留め紐部３２は、係止具であり、その一端部が袋本体１２の内側に固定された状態に設けられている。図２（ａ）に示すように、留め紐部３２は、スナップ３４、３６を有している。折り畳んだ買い物袋１０の周囲に留め紐部３２をまわしてこれらスナップ３４、３６を互いに対して係止させることで、折り畳んだ買い物袋１０を、図２（ｂ）に示すように、その折り畳んだ状態に維持することが可能になる。なお、スナップ３４、３６は一方が凹型であり、他方が凸型である。スナップ３４、３６に代えて、マジックテープ（登録商標）等を用いてもよい。
【００１８】
なお、留め紐部３２は持ち手１４ａ側に設けられているが、持ち手１４ｂ側にも設けられてもよい。この場合、２つの留め紐部３２を互いに対して係止させることで、買い物袋１０の開口部１６をしっかりと閉じることが可能になる。なお、この場合、持ち手１４ｂ側に設けられる留め紐部は、持ち手１４ａ側の留め紐部３２のスナップ３４、３６のいずれかに係止可能なスナップをただ１つ備えてもよい。もちろん、スナップ３４、３６がマジックテープ（登録商標）である場合、持ち手１４ｂ側に設けられる留め紐部はマジックテープ（登録商標）を係止具として備え得る。
【００１９】
上記構成を備える買い物袋１０は、所謂エコバッグとして用いられ得る。消費者は、例えば図２（ｂ）の状態の買い物袋１０をエコバッグとして携帯可能である。そして、スーパーマーケット等の店舗において、買い物袋１０は、レジかごで用いることができる。なお、エコバッグとは、スーパーマーケット等の店舗で買い物をする際に消費者が持参して何度も使用することができるバッグを指す。
【００２０】
買い物袋１０の使用の一例をここで説明する。消費者はスーパーマーケット等の店舗にて所定のレジかごを手に取り、そこに購入したい品物を入れて会計場所に進むことができる。会計場所つまりレジでは、購入に係る品物（以下、購入済み品物）を、同じ又は別の所定のレジかごなどに入れる作業が行われる。このとき、購入済み品物を所定のレジかごに入れる前に、消費者等はそのレジかごに買い物袋１０を被せる。買い物袋１０を被せた状態の所定のレジかごを図３に示す。図３では、買い物袋１０の袋本体１２は、所定のレジかごに入れられて、開口部１６をそのかごの外側に折り返されている。このようにすることで、レジでの清算が終わった後、消費者は、レジかごから買い物袋に購入済み商品を移す必要なく、購入済み商品を持ち帰ることが可能になる。なお、店舗によっては、購入したい品物を入れるレジかごに、買い物袋１０は被せられ得る。
【００２１】
このように使用され得る買い物袋１０は、上記したように、袋本体１２の開口部１６の持ち手間部分１６ｂが伸縮部として構成されている。したがって、その開口部を容易に広げることができる。具体的には、買い物袋１０を所定のレジかごに被せるとき、その開口部１６を容易に広げて、その開口部１６をかごの外側に折り返すことができる。また、持ち手間部分１６ｂが伸縮部として構成されているので、所定のレジかごに買い物袋１０をしっかりと取り付けることができる。したがって、所定のレジかごにセットした買い物袋１０内に、品物を、より容易かつ的確に入れることが可能になる。
【００２２】
また、買い物袋１０の開口部１６の持ち手１４ａ、１４ｂ間の部分１６ｂのみが伸縮部とされて、開口部１６のそれ以外の部分つまり持ち手１４ａ、１４ｂのそれぞれの固定部分２８ａ、２８ｂ及びそれらの間の部分１６ａは非伸縮部とされているので、持ち手１４ａ、１４ｂで、袋本体１２をしっかりと吊ることができる。また、それらが非伸縮部として構成されているので、買い物袋１０内に種々の品物を入れたとき、持ち手１４ａ、１４ｂのそれぞれは略Ｕ字状により好適に保たれ得る。よって、消費者は、買い物袋１０をその持ち手１４ａ、１４ｂで以って持ち易くなる。
【００２３】
以上、本考案の代表的な実施形態及び変形例について説明したが、本考案は種々の変更が可能である。本願の実用新案登録請求の範囲によって定義される本考案の精神及び範囲から逸脱しない限り、種々の置換、変更が可能である。
【符号の説明】
【００２４】
１０  買い物袋
１２  袋本体
１４ａ、１４ｂ  持ち手
１６  開口部
１６ｂ  持ち手間部分
１８  所定のレジかご
２０  かご本体
２２  底部
２４  側面部
２６  縁部
２８ａ、２８ｂ  固定部分
３０ａ、３０ｂ  帯状部材
３２  留め紐部
３４  スナップ
３６  スナップ
【図１】
0003221373.tif 000003
【図２】
0003221373.tif 000004
【図３】
0003221373.tif 000005